(57)【要約】【課題】  タッチパッドをタッチコントロールモード、または、テンキー入力モード等に転換する方法を提供する。【解決手段】  タッチパッドをタッチコントロールモードにする（１０１）。切り替え指令を受けると（１０２）、タッチパッドをテンキーモードにし、絶対座標方式をもってタッチパッドに複数個の数字及び機能ブロックを計画する（１０３）。そして、メインキーボードエリアのナンバーロックキーがオープンの状態である場合（Ｓ１０５）、直接押さえられた数字及び機能ブロックの対応するキーコード値をコンピュータへ伝送する（１０６）。【選択図】      図６
2010157205.tif 000002
【特許請求の範囲】
【請求項１】
タッチパッドを備えるキーボード装置に応用され、
前記キーボード装置は、コンピュータに接続され、かつメインコントロールユニット、メインキーボードエリア、タッチパッド、及び少なくとも一つのモード転換キーが設けられ、
前記メインコントロールユニットはキーボード装置内部の関連電子部材と互いに連接し、それによって前記キーボード装置を正常に運転可能であり、かつ前記メインキーボードエリア及び前記タッチパッドの入力消息を前記コンピュータに伝送し、前記キーボード装置が電源を受けた状態に於いて、前記メインコントロールユニットは、
自動的に前記タッチパッドを始動し、かつタッチコントロールモードにするステップと、
前記モード転換キーからの切り替え指令を受けると、前記タッチパッドをテンキー入力モード及びホットキー入力モードの少なくとも一方にし、前記タッチパッドの各位置が絶対座標値を備えるように計画し、かつ前記絶対座標値はそれぞれ複数個のアレイ配列に現れる数字及び機能ブロックのうち少なくとも一方に対応し、これらはともに唯一のキーコード値を備えるステップと、
前記タッチパッドが押さえられたかを感知するステップと、
を進行することを特徴とするモード転換方法。
【請求項２】
前記メインコントロールユニットが再度前記モード転換キーが出力する切り替え指令を受けると、前記タッチパッドはテンキー入力モード及びホットキー入力モードのうち少なくとも一方からタッチコントロールモードに切り替えることを特徴とする請求項１に記載のモード転換方法。
【請求項３】
前記タッチパッドがテンキーモードの状態に於いて、前記メインコントロールユニットが前記タッチパッドが押さえられたと感知した場合、前記メインキーボードエリアのナンバーロックキーがオープンの状態であるかを判断することを特徴とする請求項２に記載のモード転換方法。
【請求項４】
前記メインコントロールユニットが前記メインキーボードエリアの前記ナンバーロックキーがオープンの状態であると判断したら、直接押さえられた数字及び機能ブロックを対応するキーコード値を前記コンピュータに伝送することを特徴とする請求項３に記載のモード転換方法。
【請求項５】
前記メインコントロールユニットが前記メインキーボードエリアの前記ナンバーロックキーがクローズの状態であると判断したら、先ず前記ナンバーロックキーの消息を前記コンピュータに伝送して前記コンピュータの前記ナンバーロックキーの状態をオープンの状態にし、それから押さえられた数字及び機能ブロックが対応するキーコード値をコンピュータに伝送し、最後は再び前記ナンバーロックキーの消息を送り出してコンピュータを元のナンバーロックキーの状態に戻すことを特徴とする請求項３に記載のモード転換方法。
【請求項６】
前記コンピュータが前記メインコントロールユニットが伝送したキーコード値を受けると、前記コンピュータのスクリーンに対応するキーコード値を表示することを特徴とする請求項４または５に記載のモード転換方法。
【請求項７】
前記タッチパッドがタッチコントロールモードの状態に於いて、前記メインコントロールユニットが前記タッチパッドが押さえられたと感知した場合、押さえられた位置、移行量及び移動の方向の感応量を判断し、並びに前記感応量を前記コンピュータに伝送することを特徴とする請求項６に記載のモード転換方法。
【請求項８】
前記コンピュータが前記メインコントロールユニットが伝送してきた前記感応量を受けると、前記コンピュータの前記スクリーンに対応する手続きを始動することを特徴とする請求項７に記載のモード転換方法。
【請求項９】
タッチパッドを備えるキーボード装置に応用され、
前記キーボード装置はコンピュータに接続され、かつメインコントロールユニット、メインキーボードエリア及びタッチパッドが設けられ、
前記メインコントロールユニットは前記キーボード装置内部の関連電子部材と互いに連接し、それによって前記キーボード装置を正常に運転可能であり、かつ前記メインキーボードエリア及び前記タッチパッドの入力消息を前記コンピュータに伝送し、前記キーボード装置が電源を受けた状態に於いて、前記メインコントロールユニットは、
自動的に前記タッチパッドを始動し、かつテンキー入力モード及びホットキー入力モードの少なくとも一方にするステップと、
前記タッチパッドの各位置は絶対座標値を備えるように計画され、かつそれら絶対座標値はそれぞれ複数個のアレイ配列に現れる数字及び機能ブロックのうち少なくとも一方に対応し、これらはともに唯一のキーコード値を備えるステップと、
前記タッチパッドが押さえられたかを感知するステップと、
を進行することを特徴とするモード転換方法。
【請求項１０】
前記キーボード装置は更に最少一つのモード転換キーを備え、前記メインコントロールユニットが前記モード転換キーが出力する切り替え指令を受けると、前記タッチパッドはテンキー入力モード及びホットキー入力モードのうち少なくとも一方からタッチコントロールモードに切り替えることを特徴とする請求項９に記載のモード転換方法。
【請求項１１】
前記タッチパッドがテンキーモードの状態に於いて、前記メインコントロールユニットが前記タッチパッドが押さえられたと感知した場合、前記メインキーボードエリアのナンバーロックキーがオープンの状態であるかを判断することを特徴とする請求項１０に記載のモード転換方法。
【請求項１２】
前記メインコントロールユニットが前記メインキーボードエリアの前記ナンバーロックキーがオープンの状態であると判断したら、直接押さえられた数字及び機能ブロックが対応するキーコード値を前記コンピュータに伝送することを特徴とする請求項１１に記載のモード転換方法。
【請求項１３】
前記メインコントロールユニットが前記メインキーボードエリアの前記ナンバーロックキーがクローズの状態であると判断したら、先ず前記ナンバーロックキーの消息を前記コンピュータに伝送して前記コンピュータのナンバーロックキーの状態をオープンの状態にし、それから押さえられた数字及び機能ブロックが対応するキーコード値を前記コンピュータに伝送し、最後は再び前記ナンバーロックキーの消息を送り出して前記コンピュータを元のナンバーロックキーの状態に戻すことを特徴とする請求項１１に記載のモード転換方法。
【請求項１４】
前記コンピュータが前記メインコントロールユニットが伝送したキーコード値を受けると、前記コンピュータのスクリーンに対応するキーコード値を表示することを特徴とする請求項１２または１３に記載のモード転換方法。
【請求項１５】
前記タッチパッドがタッチコントロールモードの状態に於いて、前記メインコントロールユニットが前記タッチパッドが押さえられたと感知した場合、押さえられた位置、移行量及び移動の方向の感応量を判断し、並びに前記感応量を前記コンピュータに伝送することを特徴とする請求項１４に記載のモード転換方法。
【請求項１６】
前記コンピュータが前記メインコントロールユニットが伝送してきた前記感応量を受けると、前記コンピュータの前記スクリーンに対応する手続きを始動することを特徴とする請求項１５に記載のモード転換方法。
【請求項１７】
タッチパッドに応用され、
前記タッチパッドはメインコントロールユニット及び最少一つのモード転換キーが設けられ、かつコンピュータに連接されて前記タッチパッドは正常に運転可能であり、かつ前記タッチパッドの入力消息をコンピュータに伝送し、
前記タッチパッドが電源を受けた状態に於いて、前記メインコントロールユニットは、
自動的に前記タッチパッドを始動し、並びにタッチコントロールモードにするステップと、
前記モード転換キーからの切り替え指令を受けると、前記タッチパッドはテンキー入力モード及びホットキー入力モードのうち少なくとも一方になるステップと、
タッチパッドの各位置は絶対座標値を備えるように計画され、かつ前記絶対座標値はそれぞれ複数個のアレイ配列に現れる数字及び機能ブロックの少なくとも一方に対応し、これらはともに唯一のキーコード値を備えるステップと、
前記タッチパッドが押さえられたかを感知するステップと、
を進行することを特徴とするモード転換方法。
【請求項１８】
前記メインコントロールユニットが再度前記モード転換キーが出力する切り替え指令を受けると、前記タッチパッドはテンキー入力モード及びホットキー入力モードのうち少なくとも一方からタッチコントロールモードに切り替えることを特徴とする請求項１７に記載のモード転換方法。
【請求項１９】
前記コンピュータは更にキーボード装置と連接し、前記タッチパッドがテンキーモードの状態に於いて、前記メインコントロールユニットが前記タッチパッドが押さえられたと感知した場合、前記キーボード装置のナンバーロックキーがオープンの状態であるかを判断することを特徴とする請求項１８に記載のモード転換方法。
【請求項２０】
前記メインコントロールユニットが前記キーボード装置の前記ナンバーロックキーがオープンの状態であると判断したら、直接押さえられた数字及び機能ブロックが対応するキーコード値を前記コンピュータに伝送することを特徴とする請求項１９に記載のモード転換方法。
【請求項２１】
前記メインコントロールユニットが前記キーボード装置の前記ナンバーロックキーがクローズの状態であると判断したら、先ず前記ナンバーロックキーの消息を前記コンピュータに伝送して前記コンピュータの前記ナンバーロックキーの状態をオープンの状態にし、それから押さえられた数字及び機能ブロックが対応するキーコード値を前記コンピュータに伝送し、最後は再び前記ナンバーロックキーの消息を送り出して前記コンピュータを元のナンバーロックキーの状態に戻すことを特徴とする請求項１９に記載のモード転換方法。
【請求項２２】
前記コンピュータが前記メインコントロールユニットが伝送したキーコード値を受けると、前記コンピュータの前記スクリーンに対応するキーコード値を表すことを特徴とする請求項２０または２１に記載のモード転換方法。
【請求項２３】
前記タッチパッドがタッチコントロールモードの状態に於いて、前記メインコントロールユニットが前記タッチパッドが押さえられたと感知した場合、押さえられた位置、移行量及び移動の方向の感応量を判断し、並びに前記感応量をコンピュータに伝送することを特徴とする請求項２２に記載のモード転換方法。
【請求項２４】
前記コンピュータが前記メインコントロールユニットが伝送してきた前記感応量を受けると、前記コンピュータの前記スクリーンに対応する手続きを始動することを特徴とする請求項２３に記載のモード転換方法。
【請求項２５】
タッチパッドに応用され、
前記タッチパッドにはメインコントロールユニットが設けられ、かつコンピュータに接続され、
前記メインコントロールユニットは前記タッチパッド内部の関連電子部材と連接して前記タッチパッドを正常に運転可能であり、かつ前記タッチパッドの入力消息を前記コンピュータに伝送し、前記タッチパッドが電源を受けた状態に於いて、前記メインコントロールユニットは、
自動的に前記タッチパッドを始動し、並びにテンキー入力モード及びホットキー入力モードのうち少なくとも一方にするステップと、
前記タッチパッドの各位置は絶対座標値を備えるように計画され、かつ前記絶対座標値はそれぞれ複数個のアレイ配列に現れる数字及び機能ブロックのうち少なくとも一方に対応し、これらはともに唯一のキーコード値を備えるステップと、
前記タッチパッドが押さえられたかを感知するステップと、
を進行することを特徴とするモード転換方法。
【請求項２６】
前記タッチパッドは更に最少一つのモード転換キーを備え、前記メインコントロールユニットが前記モード転換キーが出力する切り替え指令を受けると、前記タッチパッドはテンキー入力モード及びホットキー入力モードのうち少なくとも一方からタッチコントロールモードに切り替えることを特徴とする請求項２５に記載のモード転換方法。
【請求項２７】
前記コンピュータは更にキーボード装置と連接し、前記タッチパッドがテンキーモードの状態に於いて、前記メインコントロールユニットが前記タッチパッドが押さえられたと感知した場合、前記キーボード装置のナンバーロックキーがオープンの状態であるかを判断することを特徴とする請求項２６に記載のモード転換方法。
【請求項２８】
前記メインコントロールユニットが前記キーボード装置の前記ナンバーロックキーがオープンの状態であると判断したら、直接押さえられた数字及び機能ブロックが対応するキーコード値を前記コンピュータに伝送することを特徴とする請求項２７に記載のモード転換方法。
【請求項２９】
前記メインコントロールユニットが前記キーボード装置の前記ナンバーロックキーがクローズの状態であると判断したら、先ず前記ナンバーロックキーの消息を前記コンピュータに伝送して前記コンピュータの前記ナンバーロックキーの状態をオープンの状態にし、それから押さえられた数字及び機能ブロックが対応するキーコード値を前記コンピュータに伝送し、最後は再び前記ナンバーロックキーの消息を送り出して前記コンピュータを元のナンバーロックキーの状態に戻すことを特徴とする請求項２７に記載のモード転換方法。
【請求項３０】
前記コンピュータが前記メインコントロールユニットが伝送したキーコード値を受けると、前記コンピュータの前記スクリーンに対応するキーコード値を表示することを特徴とする請求項２８または２９に記載のモード転換方法。
【請求項３１】
前記タッチパッドがタッチコントロールモードの状態に於いて、前記メインコントロールユニットが前記タッチパッドが押さえられたと感知した場合、押さえられた位置、移行量及び移動の方向の感応量を判断し、並びに前記感応量を前記コンピュータに伝送することを特徴とする請求項３０に記載のモード転換方法。
【請求項３２】
前記コンピュータが前記メインコントロールユニットが伝送してきた前記感応量を受けると、前記コンピュータの前記スクリーンに対応する手続きを始動することを特徴とする請求項３１に記載のモード転換方法。
【発明の詳細な説明】
【技術分野】
【０００１】
本発明はタッチパッドの運用方法に関するもので、特にタッチパッドの定位座標を変える方法をもってタッチパッドをタッチコントロールモード、テンキーモード、ホットキーモード等に転換し、使用者は現在の作業によってタッチパッドの現時点の用途を転換する方法に関する。
【背景技術】
【０００２】
人々の生活水準の向上と消費能力の上昇に伴い、ますます多くの電子装置（例えば、ノートブック型コンピュータに多くのより便利な機能が設け加えられ、複雑度の低い操作によって人々は電子装置をより快速に学びかつ操作を上達させることが望まれる。その中で特にタッチパッドが幅広く使われ、一般的に、タッチパッドは主として指またはタッチペンをスクリーンの上でスライドさせることにより、スライドの方向によってカーソルの移動を制御するのに用いられる入力装置であり、近頃、甚だしく多種の手動によるプログラムの開閉、画面の大きさの変更、または写真のコピー等機能が達成されている。また、タッチパッドが備える利便性により、タッチパッドはほとんどコンピュータを選択購入するときの重要な付属品となっている。
【０００３】
現在のタッチパッドの類型は大抵全体的構造及び感知方式の違いにより、抵抗型タッチパッド、キャパシタンス型タッチパッド、ウェーブ型（例えば、サウンドウェーブ）タッチパッド、光学型（例えば、赤外線）タッチパッド等多くの類型に区分けされる。これらタッチパッドは感知された感応量（例えば、電圧の変化、キャパシタンスの変化等）の演算処理を行い、それによって指に触れた位置を判断し、相対座標の方式によって指の移行量及び移動の方向を演算し、それによってタッチ制御の目的を達成する。タッチパッドは多くの感知方式を備え、かつ技術はますます熟練しているので、業者は自身の製品のニーズによって感知類型の違うタッチパッドを組み合わせ、また、タッチパッドは厚さが非常に薄く、機械式の設計ではないので、電子製品に組み付けても製品の体積の増加にならず、保守もより簡単便利であり、多くの電子製品はすでにタッチパッドを標準部品の一つとして組み込んでいる。
【０００４】
タッチパッドの主要機能の一つはマウスと入れ替え可能であるので、或る使用者はタッチパッドを単独にコンピュータに組み入れ、マウスとして使用している。また、或る業者はキーボード装置とタッチパッドを一体に組み合わせ、キーボード装置がコンピュータに接続されるとほかにマウスを接続する必要がないように便利にし、人々のスペースの計画を有効に向上させている。キーボード装置とタッチパッドとを組み合わせることは、ノートブック型コンピュータにも常に現れ、人々の軽薄短小を好むニーズを満足しているが、前記キーボード装置は操作上に於いて、確かに一定の複雑さが存在している。図１及び図２に示すように、キーボード装置１はメインキーボードエリア１１（図面があまりにも複雑になることを避けるため、図２では一部の符号のみが表示されている）及びタッチパッド１３を備え、それには制御ユニットが設けられ（図示せず）、キーボード装置１とコンピュータ２が接続されたら、使用者がキーインしたキーコード値または感応量をコンピュータ２に伝送する。しかし、キーボード装置１の体積を有効に減らすため、それには伝統的キーボード装置のように外に数字及び計算エリアを配置していないので、使用者がコンピュータ２の任意の応用プログラムにおいて数字を入力する場合は、メインキーボードエリア１１の第二列の実線数字が標記されてあるキー１１１をキーインし、キーボード装置１でキーインされたキー１１１の数字のキーコード値をコンピュータ２に伝送しなければならない。実線数字が標記されているキー１１１は順番に横列に配列されており、それは一般に使用される計算機または伝統的キーボード装置に設けられる数字及び計算エリアのテンキーの配列と違い、そのために使用者には操作上の不便性が生じる。また、使用者が現在コンピュータ２で使用する入力法が中国文入力法または日本文入力法である場合、使用者がそれら実線数字が標記されているキー１１１を押すと、コンピュータ２はキーボード装置１の伝送したキーコード値に対応する注音符号または日本文符号のキーコード値と判断し、ディスプレーに注音符号または日本文符号を表示し、数字として表せず、そのために使用者は事前に入力法モードを切り替えないと正常に数字を入力することができない。その後、再び入力法モードを元来使用したモードに切り替え、正常に中国文または日本文を入力するが、前述操作方法は疑いなく使用者の操作上の不便さを増やすので、或る業者はキーボード装置１にナンバーロックキー１１３を加設し、同時に一部のキーに実環符号のある標記を付け加える。キーボード装置１の使用方法を明確に説明するため、以下はそのメインキーボードエリア１１上の実線符号だけのあるキーを第一キー１１１と称し、同時に実線及び実環を備えるキーを第二キー１１５と称する。ナンバーロックキー１１３がクローズ状態にある場合、メインキーボードエリア１１の第一キー１１１、第二キー１１５は正常に作動し、実線標記と対応するキーコード値をコントロールユニットに伝送することができ、すなわち、使用者が実線『Ｕ』の標記のあるキー１１１をキーインした場合、キーボード装置１は『Ｕ』のキーコード値をコンピュータに送り込む。ところがナンバーロックキー１１３がオープン（open）の状態にある場合、メインキーボードエリア１１の複数個の第二キー１１５はテンキーモードに転換され（図２中の実環標記に示す如く）、このとき、コンピュータ２のテンキーの状態も同じくオープンの状態に変更するので、使用者が標記『Ｕ』の第二キー１１５をキーインすると、コンピュータ２はキーボード装置１が送り出したキーコード値を『４』と判断する。このように、使用者はナンバーロックキー１１３を切り替えることにより、慣れた方式をもって数字を入力することができる。
【０００５】
再び図２を参照すると、上述操作方式により、使用者は慣れた方法で数字を入力するが、使用者がキーボードを操作する過程に於いてそれぞれ英文字及び数字を入力する必要がある場合、使用者はメインキーボードエリア１１のナンバーロックキー１１３をオープンの状態に切り替えなければ、数字のキーインができず、かつ数字をキーインした後、再びメインキーボードエリア１１のナンバーロックキー１１３をクローズの状態に切り替えなければ、正常に英文字を入力することができない。このことは疑いなく使用者のキーボード装置１を操作する複雑さを増やし、使用者にとって不便である。それ故に、タッチパッドを制御する方法を設計して前述問題を解決し、これによって使用者の製品に対する好みをいかに増やすかは、現在のタッチパッド及びキーボード装置の設計業者が早急に解決しようとする重大な課題である。
【発明の概要】
【発明が解決しようとする課題】
【０００６】
前述タッチパッドをキーボード装置と組み合わせて使用したときに多くの欠点があり、使用者が応用時に不便性を生じることに鑑み、発明者は長期間の努力研究と実験を経て、遂にタッチパッドをタッチコントロールモードまたはテンキー入力モード及びホットキー入力モードの少なくとも一方に転換する方法を開発設計し、本発明の誕生によって前述問題を有効に解決し、使用者により便利にタッチパッドを操作する方法を提供する。
【課題を解決するための手段】
【０００７】
上記目的を達成するため、本発明のモード転換方法は、タッチパッドに応用するもので、前記タッチパッドにはメインコントロールユニット及び少なくとも一つのモード転換キーが設けられ、前記方法はメインコントロールユニットが自動的にタッチパッドを始動すると、タッチコントロールモードになり、その後、前記モード転換キーが押さえられると、前記メインコントロールユニットはタッチパッドをテンキー入力モード及びホットキー入力モードのうち少なくともいずれか一方にする。このとき、前記タッチパッドの各位置はすべて絶対座標値を備えるように計画され、かつそれら絶対座標値はそれぞれ複数個アレイ配列の数字及び機能ブロックのうち少なくとも一方に対応し、これらはすべて唯一のキーコード値を備えるので、それによって前記タッチパッドは数字を入力することができ、ホットキーのキーボードとして使用することができる。このように、業者は前記タッチパッドにタッチコントロール、数字の入力またはホットキーとしての作用を同時に備えることができ、前記タッチパッドの使用機能及び利便性を有効に高めることができる。
【０００８】
さらに本発明のモード転換方法において、前記タッチパッドはキーボード装置と一体に組み付けられ、使用者が前記タッチパッドの操作モードを転換することによって前記タッチパッドが伝統的キーボード装置のテンキーエリアまたは多種ホットキー機能を備える機能キーエリアに模擬され、操作の利便性を高める効果を達成する。前記キーボード装置はコンピュータに接続され、かつそれにはメインコントロールユニット、メインキーボードエリア、タッチパッド及び少なくとも一つのモード転換キーが設けられる。その中、メインコントロールユニットはキーボード装置の内部関連電子部材と連接し、それによってメインキーボードエリア及びタッチパッドの入力消息をコンピュータに伝送するが、その方法は前記キーボード装置が電源を受けると、メインコントロールユニットが自動的にタッチパッドを始動し、かつタッチパッドをタッチコントロールモードにし、タッチパッドが押さえられ（例えば、指にタッチされ）た場合は押さえられた位置、移行量及び移動の方向等感応量を判断及び受信することができ、その後、モード転換キーが押さえられると、モード転換キーは切り替え指令をメインコントロールユニットに伝送し、メインコントロールユニットが切り替え指令を受けるとタッチパッドはテンキー入力モード及びホットキー入力モードのうち少なくとも一方になり、このとき、タッチパッドは複数個のアレイ配列に現れる数字及び機能入力ブロックのうち少なくとも一方に計画され、これらはすべて唯一のキーコード値を備える。業者がキーボード装置の体積を増やさない状況に於いて、キーボード装置は同時にタッチパッド、テンキーボードまたはホットキーボード等機能を備えることができ、使用者の使用上の利便性を高める。
【０００９】
またさらに本発明のモード転換方法において、前記タッチパッドがテンキーモードにある場合、メインキーボードエリアのナンバーロックキーの現在状態はタッチパッドの数字及び計算ブロックに対して連動的影響を生じるので、前記メインコントロールユニットがタッチパッドが押さえられたと感知した場合、先ず前記メインキーボードエリアのナンバーロックキーがオープンしているかを判断する。もしそうであれば直接押さえられた数字及び計算ブロックの対応するキーコード値をコンピュータに伝送する。もし違うのであれば、先ずナンバーロックキーの消息をコンピュータに伝送し、コンピュータのナンバーロックキーの状態を準備受信状態にし、それから押さえられた数字及び計算ブロックが対応するキーコード値をコンピュータに伝送し、最後はナンバーロックキーの消息をコンピュータに伝送し、メインキーボードエリアが正常に運転するようコンピュータ元来のナンバーロックキーの状態に戻す。このように、使用者がキーボード装置を通じて英文字または数字の入力作業を行う場合、別にナンバーロックキーを切り替える必要がなく、かつメインキーボードエリアのナンバーロックキーの状態がタッチパッドに異常な入力動作を生じる心配もない。
審査委員各位が本発明の目的、技術特徴及び効能に対してより認識及び了解していただくため、ここに最適な実施形態を取り上げ、図面と合わせて次の如く詳細説明します。
【図面の簡単な説明】
【００１０】
【図１】周知のタッチパッドを備えるキーボード装置のハードウェアの構造を示すブロック図である。
【図２】周知のタッチパッドを備えるキーボード装置を示す模式図である。
【図３】本発明の第１実施形態のモード転換方法におけるキーボード装置のハードウェアの構造を示すブロック図である。
【図４】本発明の第１実施形態のタッチパッドを備えるキーボード装置を示す模式図である。
【図５】本発明の第１実施形態のタッチパッドの数字及び計算ブロックと絶対座標値を示す模式図である。
【図６】本発明の第１実施形態のモード転換方法を示すフローチャートである。
【図７】本発明の第２実施形態のモード転換方法を実現するシステムを示すブロック図である。
【発明を実施するための形態】
【００１１】
（第１実施形態）
本発明の第１実施形態のモード転換方法は、タッチパッドに応用されるもので、タッチパッドをキーボード装置に設けられたものを例として説明する。図３に示すように、キーボード装置３はコンピュータ４に接続され、その中コンピュータ４はノートブック型コンピュータで、キーボード装置３を直接コンピュータ４に組み付けて整体に形成されてもよく、また、コンピュータ４はコンピュータ主体またはノートブック型コンピュータで、キーボード装置３は独立の個体でもよく、接続ポート（例えば、ＵＳＢ（Universal Series Bus））または無線伝送方式によってコンピュータ４に連接される。本発明の実施形態に於いて、キーボード装置の外観様式及びコンピュータとの連接方式は一定ではない。
【００１２】
また、図３及び図４示すように、キーボード装置３はメインコントロールユニット３１、メインキーボードエリア３２、タッチパッド３３及びモード転換キー３４を備える。メインコントロールユニット３１はキーボード装置３内部の関連電子部材と互いに連接し、それによってキーボード装置３は正常に運転することができ、メインキーボードエリア３２及びタッチパッド３３の入力消息をコンピュータ４に伝送することができる。メインキーボードエリア３２には複数個のキー３２１（例えば、伝統的キーボード装置にある英文字キー、『Shift』キー、『Ctrl』キー等）が設けられて、使用者がそれらキー３２１を押すことによってメインコントロールユニット３１は押さえられたキー３２１のキーコード値をコンピュータ４に伝送し、コンピュータ４のスクリーン（図示せず）に使用者が押したキーの内容を表示することができる。タッチパッド３３にはマイクロプロセッサ３３１が設けられ、マイクロプロセッサ３３１はタッチパッド３３が感知した感応量をメインコントロールユニット３１に伝送し、メインコントロールユニット３１はその感応量をコンピュータ４に伝送し、コンピュータ４のスクリーンには執行できる対応した手続きが現れる。
【００１３】
またさらに、再び図３に示すように、使用者がコンピュータ４をオンすると、キーボード装置３はコンピュータ４から送られた電源を受け、同時にメインコントロールユニット３１のマイクロプロセッサ３３１はタッチパッド３３を始動し、タッチコントロールモードにする。使用者が指でタッチパッド３３を押すと、マイクロプロセッサ３３１はタッチパッド３３上の押さえられた位置の感応量を感知することができ、かつ相対座標の運算方式により、移行量及び移動方向等感応量を判断し、それら感応量をメインコントロールユニット３１に伝送し、メインコントロールユニット３１は更にそれら感応量をコンピュータ４に伝送し、かつコンピュータ４のスクリーンに対応する手続き（例えば：カーソルを動かす、ページを変える…等）を始動する。その後、使用者がキーボード装置３を用いて数字（例えば：１、２、３…等）または計算符号（例えば：＋、−、／…等）を入力したい場合はモード転換キー３４を押し、このとき、モード転換キー３４は切り替え指令をメインコントロールユニット３１に伝送し、メインコントロールユニット３１がその切り替え指令を受けると、モード転換指令をマイクロプロセッサ３３１へ伝送し、マイクロプロセッサ３３１はタッチパッド３３をテンキーモードにし、同時に、タッチパッド３３の各位置はすべて絶対座標値があるように計画され、かつそれら絶対座標値はそれぞれ複数個のアレイ配列に表す数字及び機能（例えば、たす、引く、かける、わるの機能）ブロック３３３に対応する。図５に示すように、本実施形態に於いて標記『７』の数字及び機能ブロック３３３の絶対座標値を（１，１）とし、標記『８』の数字及び機能ブロック３３３の絶対座標値を（１，２）とし、標記『４』の数字及び機能ブロック３３３の絶対座標値を（２，１）とし、標記『１』の数字及び機能ブロック３３３の絶対座標値を（３，１）とし、残りの数字及び機能ブロック３３３の絶対座標値はこれに類似して推移する。配列方式または絶対座標値の設定方法は上述だけに限定されず、業者の設計ニーズによって変更することができ、かつタッチパッドに於いて絶対座標値の設定または相対座標等の計算方法は多くの演算法があり、かつそれは公知の技術であるので、ここでは余計な説明をしない。
【００１４】
再び図３及び図４を参照されたい。各数字及び機能ブロック３３３にはともに唯一のキーコード値を備え、マイクロプロセッサ３３１がタッチパッド３３（例えば、標記『７』の数字及び機能ブロック３３３）が押さえられ、押さえられた数字及び機能ブロック３３３の絶対座標値（例えば、（１，１））を感知した場合、マイクロプロセッサ３３１は押さえられた数字及び機能ブロック３３３の絶対座標値をメインコントロールユニット３１へ伝送する。このとき、メインコントロールユニット３１は先ずメインキーボードエリア３２のナンバーロックキー３２３がオープンの状態であるかを判断する。メインキーボードエリア３２のナンバーロックキー３２３の現在状態はコンピュータ４のナンバーロックキーの状態と一致し、メインキーボードエリア３２のナンバーロックキー３２３がオープンの状態またはクローズの状態によってコンピュータ４のナンバーロックキーの状態が変えられる。コンピュータ４がスクリーンに対応するキーコード値を表示するとき、メインキーボードエリア３２のナンバーロックキー３２３がオープンの状態である場合、メインコントロールユニット３１は押さえられた数字及び機能ブロック３３３が対応するキーコード値をコンピュータ４に伝送し、コンピュータ４のスクリーンに対応するキーコード値を表示する（例えば、スクリーンに『７』を表示する）。もしメインキーボードエリア３２のナンバーロックキー３２３がクローズの状態である場合、メインコントロールユニット３１は先ずナンバーロックキーの消息をコンピュータ４に伝送し、コンピュータ４のナンバーロックキーの状態をオープンの状態にさせ、それから押さえられた数字及び機能ブロック３３３の対応するキーコード値をコンピュータ４に送り出し、最後は更にナンバーロックキーの消息を送り出し、コンピュータ４を元のナンバーロックキーの状態に戻し（クローズの状態に戻す）、それによって使用者がメインキーボードエリア３２のキー３２１を押したとき、ナンバーロックキー３２３の状態を変えたことによって、本来『Ｕ』のキーコード値を入力するのに、コンピュータ４が『４』のキーコード値と判断かつ変換しないよう、メインキーボードエリア３２は本来使用者が操作した運用モードを行うことができる。
また、ハイテク産業の進歩により、業者はメインコントロールユニット３１及びマイクロプロセッサ３３１を一体に整合することができる。
【００１５】
本発明の第１実施形態のモード転換方法について、実施ステップを以下に説明する。図３、図４及び図６に示すように、キーボード装置３が電源を受けた状態に於いて、メインコントロールユニット３１は次のステップを執行することができる。
ステップ１０１において、タッチパッド３３をタッチコントロールモードにし、ステップ１０２へ進む。
【００１６】
ステップ１０２において、切り替え指令を受けたかを判断し、そうであればステップ１０３へ進み、さもなければステップ１１１へ進む。
ステップ１０３において、タッチパッド３３をテンキーモードにし、絶対座標方式をもってタッチパッド３３に複数個の数字及び機能ブロック３３３を計画し、ステップ１０４へ進む。
【００１７】
ステップ１０４において、数字及び機能ブロック３３３中の一つが押さえられたかを感知し、そうであればステップ１０５へ進み、さもなければステップ１０７へ進む。
ステップ１０５において、メインキーボードエリア３２のナンバーロックキー３２３がオープンの状態であるかを判断し、そうであればステップ１０６へ進み、さもなければステップ１０８へ進む。
【００１８】
ステップ１０６において、直接押さえられた数字及び機能ブロック３３３の対応するキーコード値をコンピュータ４へ伝送し、ステップ１０７へ進む。
ステップ１０７において、切り替え指令を受けたかを判断し、そうであればステップ１０１へ進み、さもなければステップ１０４へ進む。
ステップ１０８において、ナンバーロックキーの消息をコンピュータ４へ伝送し、コンピュータ４のナンバーロックキーの状態をオープンの状態にさせ、ステップ１０９へ進む。
【００１９】
ステップ１０９において、押さえられた数字及び機能ブロック３３３の対応するキーコード値をコンピュータ４へ伝送し、ステップ１１０へ進む。
ステップ１１０において、ナンバーロックキーの消息をコンピュータ４へ伝送し、コンピュータ４のナンバーロックキーの状態を元の状態に戻し、ステップ１０７へ進む。
ステップ１１１において、タッチパッド３３が押さえられたかを感知し、そうであればステップ１１２へ進み、さもなければステップ１０２へ進む。
ステップ１１２において、感知した感応量をコンピュータ４に伝送し、ステップ１０２へ進む。
【００２０】
以上を続け、使用者は自身のニーズにより、モード転換キー３４によってタッチパッド３３を違う状態のモードに転換することができる。また、図３及び図４に示すように、本発明の他の実施形態に於いて、業者は設計のニーズによって前記の制御方法を変更することができ、キーボード装置３が電源を受けたら、メインコントロールユニット３１は自動的にタッチパッド３３を始動し、並びにタッチパッド３３をテンキーモードにしてもよい。このとき、タッチパッド３３の各位置はともに絶対座標の方式をもって複数個のアレイ配列に現れる数字及び機能ブロック３３３に計画され、かつ各数字及び機能ブロック３３３はキーコード値を備える。このように、タッチパッド３３はステップ１０４〜ステップ１１０によってテンキーモードの動作を行うことができ、その後、メインコントロールユニット３１がモード転換キー３４の切り替え消息を受けたら、メインコントロールユニット３１はタッチパッド３３をタッチコントロールモードにし、このとき、タッチパッド３３は前述ステップ１１１〜ステップ１１２によってタッチコントロールモードの動作を行うことができ、並びに使用者の次の切り替えを待つ。
【００２１】
また、現代の人はコンピュータの使用を文書の編集だけに限らず、多くの人はコンピュータを娯楽の工具（例えば：インタネットでの閲覧、映画鑑賞等）として用いているが、操作のステップを短縮して老人や子供も軽易にコンピュータが使えるようにするため、ある業者はいわゆるホットキーを設計している。すなわち使用者がそのホットキーを押すだけで、コンピュータは予め設定された動作（例えば：ネットのページを開く、画音プログラムを開く、事務所のソフト（Word、Excel）を開く等）を執行することができ、使用者は画面から時間をかけてプログラムを捜す必要がない。このように、本発明の第１実施形態による方法に於いて、同じく前述のテンキーモードをホットキーモードに変えることができ、すなわち数字及び機能ブロック３３３をすべて機能ブロックに切り替え、それによって使用者は自身のニーズにより、その中の一つの機能ブロックを押すだけで、必要な機能を開くことができ、或いは、業者はテンキーモード及びホットキーモードを一体に整合することができ、それによって同じインタフェースに於いて、同時に数字及び機能ブロック３３３とホットキーとして使用される機能ブロックを備え、使用者の操作上の利便性を高める。上述をまとめると、本発明の第１実施形態による方法により、業者はキーボード装置の体積を増やさない状況に於いて、キーボード装置のタッチパッドをタッチコントロールモードまたはテンキー入力モード及びホットキー入力モードのうち少なくとも一方に転換することができ、キーボード装置が同時にタッチパッドまたはテンキーボードまたはホットキーボードの効能があるようにし、使用者は自身の慣れた入力ニーズによってタッチパッドのモードを変更し、更に進んで使用者の使用上の利便性を高めることができ、伝統的キーボード装置のように使用者が繰り返しナンバーロックキーを切り替えて英文字及び数字の入力を完成させる必要がなく、使用上の複雑さは大幅に減る。
【００２２】
（第２実施形態）
本発明の第２実施形態のモード転換方法に於いて、業者はタッチパッドを独立の部材とする。図７に示すように、本発明の第２実施形態に於いて、タッチパッド５は独立の個体であり、かつコンピュータ５０に接続された例で説明すると、そのタッチパッド５にはメインコントロールユニット５１及び少なくとも一つのモード転換キー５２が設けられる。その方法は、メインコントロールユニット５１が自動的にタッチパッド５を始動すると、直ちにタッチコントロールモードになる。その後、使用者がモード転換キー５２を押すと、モード転換キー５２は切り替え消息をメインコントロールユニット５１に伝送し、メインコントロールユニット５１はタッチパッド５をテンキーモードにする。このとき、タッチパッド５の各位置はともに絶対座標値を備えるように計画され、かつそれら絶対座標値はそれぞれ複数個のアレイ配列に現れる数字及び機能ブロックに対応し、各数字及び機能ブロックはともに唯一のキーコード値を備え、その中の一つの数字及び機能ブロックが押さえられると、メインコントロールユニット５１は押さえられた数字及び機能ブロックのキーコード値をコンピュータに伝送し、それによってタッチパッド５は数字を入力することができるキーボードとして使用される。また、使用者が再度モード転換キー５２を押すと、モード転換キー５２は再度切り替え消息をメインコントロールユニット５１に伝送し、メインコントロールユニット５１はタッチパッド５をホットキー入力モードにする。このとき、タッチパッド５の各位置はともに絶対座標値を備えるように計画され、かつそれら絶対座標値はそれぞれ複数個のアレイ配列に現れる機能（例えば、快速オンライン機能、事務所のソフトを開く等）ブロックに対応し、各機能ブロックはともに唯一のキーコード値を備え、それによってメインコントロールユニット５１は押さえられた機能ブロックのキーコード値をコンピュータ５０に伝送し、タッチパッド５をホットキーボードとして使用することができる。このように、業者はテンキー及びホットキーのキーボードを増やす必要がなく、タッチパッドは同時にタッチコントロールと数字及びホットキー入力のうち少なくとも一方の作用を備え、タッチパッドの使用効果及び利便性を有効に高めることができる。
【００２３】
さらに、第２実施形態に於いて、使用者が繰り返しモード転換キー５２を押すと、タッチパッド５はタッチコントロールモードからテンキーモードへ転換され、更にホットキーモードへ転換され、最後はタッチコントロールモードへ戻る。本発明の第２実施形態に於いて、前述モード転換の順序は前述転換モードだけに限らず、業者の設計ニーズによって変更することができる。また、業者は各モードに対してモード転換キーを設計することができ、使用者がその中の一つのモード転換キーを押すと、タッチパッドはそれに対応するモードに転換し、産業上の応用性を高める。また、ブロックの計画方式は、更に数字及び機能ブロックとホットキーとして使用される機能ブロックを一緒に整合し、テンキー及びホットキー入力モードに形成することができる。それ故に、この技術を熟知するものは本発明の主要技術特徴を把握し、モード転換の順序及びブロックを押す効果に於いて変化させることができる。このように、本発明の応用は本発明の実施例と図面に示す構造と部材の配置に限らず、本発明の特許登録請求の範囲は本発明の精神と範囲を離脱しない同等構造を含むべきであり、また、使用される語彙は説明だけに供されるもので、本発明の制限と見なすべきではない。
【００２４】
また、図７に示すように、コンピュータ５０が更にキーボード装置５４と接続した場合、キーボード装置５４のナンバーロックキーの状態はコンピュータ５０のナンバーロックキーの状態に影響するので、タッチパッド５がコンピュータ５０に接続されると、メインコントロールユニット５１はコンピュータ５０のナンバーロックキーの状態を感知する。その後、タッチパッド５がテンキーモード（或いはテンキー及びホットキー入力モード）にある場合、使用者がタッチパッド５を押すと、メインコントロールユニット５１はキーボード装置５４のナンバーロックキーの状態により、直接押さえられた数字及び機能ブロックのキーコード値をコンピュータ５０に伝送し、或いは先ずナンバーロックキーの消息をコンピュータ５０に伝送し、それから押さえられた数字及び機能ブロックのキーコード値をコンピュータ５０に伝送し、最後は再びナンバーロックキーの消息をコンピュータ５０に伝送する。
【００２５】
ここで特に取り上げたいのは、本発明の実施形態に於いて、モード転換を行う場合、モード転換キーを押すだけでモード転換の動作が行えるが、実際の実施に於いて、使用者が不注意にモード転換キーを押してキーボード装置の操作を影響してしまい、使用者の困惑することを避けるため、業者は複数個のモード転換キーの組み合わせ方式に設計することができる。例えば、使用者が先に『shift』キーを押し、それからモード転換キーを押さえないとモードの転換を行うことができないようにすると、使用者の誤動作を避けることができる。キーボードの組み合わせ方式に関しては業者の設計ニーズによるもので、『shift』キーに限定されるものではない。以上に述べたのは本発明の最適実施形態だけであり、本発明が主張する権利範囲はこれに局限されず、およそこの技術を熟知するものが本発明に開示された技術内容によって軽易に思い及ぶ同等効果の変化は、すべて本発明の保護範疇から離脱しないものに属するべきである。
【符号の説明】
【００２６】
３、５４：キーボード装置、３１、５１：メインコントロールユニット、３２：メインキーボードエリア、３２１：キー、３２３：ナンバーロックキー、３３、５：タッチパッド、３３１：マイクロプロセッサ、３３３：数字及び機能ブロック、３４、５２：モード転換キー、４、５０：コンピュータ
【図１】
2010157205.tif 000003
【図２】
2010157205.tif 000004
【図３】
2010157205.tif 000005
【図４】
2010157205.tif 000006
【図５】
2010157205.tif 000007
【図６】
2010157205.tif 000008
【図７】
2010157205.tif 000009